【手続補正書】
【提出日】平成16年9月24日(2004.9.24)
【手続補正１】
【補正対象書類名】特許請求の範囲
【補正対象項目名】全文
【補正方法】変更
【補正の内容】
【特許請求の範囲】
【請求項１】
版胴及び中間胴（０２；０３；０７；１１）より成る１対の胴（０２；０３；０７；１１）を有する、印刷機の印刷装置であって、２つの胴（０２；０３；０１；１１）がそれぞれ１つの、１印刷頁の区分長さにほぼ相当する周面を有している形式のものにおいて、
版胴（０２；１１）のうちの少なくとも１つがその有効外周面に、周方向で見て多くとも１つの中断部（０４；０６）と、長手方向で見て複数の相並んで配置された中断部（０４；０６）とを有しており、これらの中断部が、周方向で見て互いにずらして配置されていることを特徴とする、印刷機の印刷装置。
【請求項２】
中間胴（０３；０７）がその有効外周面に、周方向で見て多くとも１つの中断部（０４；０６）と、長手方向で見て複数の相並んで配置された中断部（０４；０６）とを有しており、これらの中断部が、周方向で見て互いにずらして配置されている、請求項１記載の印刷装置。
【請求項３】
胴対の２つ胴（０３；０７）がその有効外周面に、周方向で見て多くとも１つの中断部（０４；０６）と、その有効外周面に長手方向で見て相並んで配置された複数の中断部（０４；０６）とを有しており、これらの中断部が、周方向で見て互いにずらして配置されている、請求項１記載の印刷装置。
【請求項４】
少なくとも３つの胴（０２；０３；０１；１１）、即ち版胴、中間胴、対抗圧胴（０２；０３；０７；１１）を有する、印刷機の印刷装置であって、これら３つの胴の回転軸線（Ｒ０２；Ｒ０３；Ｒ０７；Ｒ１１）が胴（０２；０３；０１；１１）の胴入れ位置（ＡＮ）において共通の平面（Ｅ）に位置しており、版胴及び中間胴（０２；０３；０７；１１）が、新聞の１頁の区分長さにほぼ相当する周面を有しており、この場合少なくとも版胴（０２；０３）がその有効外周面に少なくとも１つの中断部（０４；０６）を有していえる形式のものにおいて、
少なくとも版胴及び中間胴（０２；０３；０７；１１）がその有効外周面に、それぞれ少なくとも２つの中断部（０４；０６）を有しており、これらの中断部が、各胴（０２；０３；０１；１１）の長手方向で相並んで、しかしながら周方向では互いにずらして配置されており、２つの胴（０２；０３；０７；１１）の中断部（０４；０６）が互いに向き合って転動するように配置されていることを特徴とする、印刷機の印刷装置。
【請求項５】
胴（０２；０３；０１；１１）が、１３０〜２００ｍｍ特に１４５ｍｍ〜１８５ｍｍの直径（Ｄ０２；Ｄ０３）を有している、請求項１又は４記載の印刷機の印刷装置。
【請求項６】
中断部が、３ｍｍか又はこれよりも小さい幅を有するギャップとして外周面の領域に形成されている、請求項１又は４記載の印刷機の印刷装置。
【請求項７】
胴（０２；０３；０１；１１）がそれぞれ、単独の横置きされた、大判紙サイズの新聞頁のための１つの周面を有している、請求項１又は４記載の印刷装置。
【請求項８】
胴（０２；０３；０１；１１）がその胴有効幅の領域内で、印刷頁特に新聞頁のほぼ４倍幅に相当する長さ（Ｌ０２；Ｌ０３）を有している、請求項１又は４記載の印刷装置。
【請求項９】
胴（０２；０３；０１；１１）が周方向で見て多くとも１つの胴張りを有し、長手方向で見て互いに並んで配置された複数の胴張りを有しており、これらの胴張りが、周方向で見て互いにずらして胴（０２；０３；０１；１１）上に配置されている、請求項１又は４記載の印刷装置。
【請求項１０】
協働作用し合う２つの胴（０２；０３；０１；１１）が、長手方向で相並んで配置され、しかしながら周方向では互いにずらして配置された複数の胴張りを有している、請求項１又は４記載の印刷装置。
【請求項１１】
協働作用し合う２つの胴（０２；０３；０１；１１）がその有効外周面に、それぞれ少なくとも２つの中断部（０４；０６）を有しており、これらの中断部がそれぞれの胴（０２；０３；０１；１１）の長手方向で相並んで、しかしながら周方向で互いにずらして配置されている、請求項１記載の印刷装置。
【請求項１２】
中断部（０４；０６）が胴対の２つの胴（０２；０３；０１；１１）の有効外周面で互いに転動し合うように配置されている、請求項１１記載の印刷装置。
【請求項１３】
２つの胴対が、中間胴（０３；０７）として構成された胴（０３；０７）間で１つの印刷箇所を形成するように配置されている、請求項１又は１１記載の印刷装置。
【請求項１４】
前記中断部（０４；０６）が、２つの中間胴（０３；０７）の有効外周面で互いに転動し合うように配置されている、請求項１３記載の印刷装置。
【請求項１５】
２つの胴対の胴（０２；０３；０１；１１）の回転軸線（Ｒ０２；Ｒ０３；Ｒ０７；Ｒ１１）が、胴（０２；０３；０１；１１）の胴入れ位置（ＡＮ）で１つの共通の平面（Ｅ）に位置している、請求項１３記載の印刷装置。
【請求項１６】
２つの版胴（０２；１１）と、これらの版胴（０２；１１）に配属された、胴入れ位置で互いに１つの印刷箇所を形成する２つの中間胴（０３；０７）とを有する、印刷機の印刷装置であって、版胴及び中間胴（０２；０３；０１；１１）の回転軸線（Ｒ０２；Ｒ０３；Ｒ０７；Ｒ１１）が胴入れ位置（ＡＮ）で共通の平面（Ｅ）に位置している形式のものにおいて、
中間胴（０２；０３；０１；１１）が、中間胴だけを移動させせるだけで印刷装置を胴入れ及び胴抜きできるように、可動に支承されており、回転軸線（Ｒ０２；Ｒ０３；Ｒ０７；Ｒ１１）の平面（Ｅ）が、印刷装置を通過するウエブの平面に対して７５°〜８５°角度（α）だけ傾斜して延びていることを特徴とする、印刷機の印刷装置。
【請求項１７】
胴（０２；０３；０１；１１）の少なくとも１つが、調節経路（１６；１７）に沿って、所属の胴（０２；０３；０１；１１）の少なくとも１つに対して胴入れ及び胴抜き可能に構成されている、請求項４又は１６記載の印刷装置。
【請求項１８】
調節経路（１６）がリニアガイド（２６）によって線状に構成されている、請求項１７記載の印刷装置。
【請求項１９】
調節経路（１６）が少なくとも印刷箇所（０９）の領域内で２重偏心体によって線状に構成されている、請求項１７記載の印刷装置。
【請求項２０】
線状の調節経路（１６）が、回転軸線（Ｒ０２；Ｒ０３；Ｒ０７；Ｒ１１）の平面（Ｅ）に対してほぼ垂直に延びている、請求項１７又は１８記載の印刷装置。
【請求項２１】
調節経路（１７）がレバー（１８）によって曲線状に構成されている、請求項１７記載の印刷装置。
【請求項２２】
印刷装置（１３）がゴム対ゴム型印刷装置として構成されていて、胴（０２；０３；０１；１１）が１つの印刷箇所（０９）を形成する２つの中間胴（０３；０７）として構成されていて、それぞれ中間胴（０３；０７）のうちの１つと協働する２つの版胴（０２；１１）として構成されている、請求項１又は４記載の印刷装置。
【請求項２３】
胴（０２；０３；０１；１１）の回転軸線（Ｒ０２；Ｒ０３；Ｒ０７；Ｒ１１）の平面（Ｅ）が、印刷装置を通過するウエブ（０８）の平面に対して７５°〜８５°の角度（α）で傾斜して延びている、請求項５又は１５記載の印刷装置。
【請求項２４】
胴（０２；０３；０１；１１）の有効外周面上に設けられた中断部（０４；０６）が、少なくとも１つの胴張りを受容するための溝（０４；０６）として構成されている、請求項１又は４記載の印刷装置。
【請求項２５】
溝（０４；０６）の開口が、胴（０２；０３；０１；１１）の外周面の領域内で周方向で３ｍｍを越えない幅を有している、請求項２４記載の印刷装置。
【請求項２６】
中間胴（０３；０７）のための胴張りが、金属製ライニングを有する印刷ブランケットとして構成されている、請求項９記載の印刷装置。
【請求項２７】
印刷機の印刷装置であって、３つの胴（０２；０３；０１；１１）の少なくとも１つが、線状の調節経路に沿って選択的に胴入り位置及び胴抜き位置（ＡＮ，ＡＢ）にもたらされるようになっていて、この場合選択的に胴入れ位置及び胴抜き位置（ＡＮ，ＡＢ）にもたらされる胴（０２；０３；０１；１１）がそれぞれ端面側で軸受ケーシング（２４）に支承されていて、該軸受ケーシングがそれぞれ、サイドフレームに接続された少なくとも１つのリニアガイド（２６）内で可動に配置されている形式のものにおいて、
リニアガイド（２６）がサイドフレーム（２７）に対して横方向で、サイドフレーム（２７）の、胴（０２；０３；０１；１１）に向いた側に配置されていることを特徴とする、印刷機のための印刷装置。
【請求項２８】
胴（０２；０３；０７；１１）のそれぞれ端面側に配置された２つのピン（２３）が軸受ケーシング（２４）に回転可能に支承されており、この軸受ケーシング（２４）がそれぞれ少なくともつのリニアガイド（２６）によって、サイドフレーム（２０）に対して相対的にリニア状に可動に支承されている、請求項２７記載の印刷装置。
【請求項２９】
各軸受ケーシング（２４）をガイドするために２つのリニアガイド（２６）が設けられており、これらのリニアガイド（２６）が互いに平行に延びている、請求項２８記載の印刷装置。
【請求項３０】
２つのリニアガイド（２６）、特にこれらの許容されるリニア運動のための想定作用線が、サイドフレーム（２０）の並びに対して平行に延びる共通の平面を成している、請求項２９記載の印刷装置。
【請求項３１】
２つのリニアガイド（２６）のリニア状の運動自由度のための想定線が、胴（０２；０３；０７；１１）の回転軸線上に垂直に位置する平面内にある、請求項２９記載の印刷装置。
【請求項３２】
可動な軸受ケーシング（２４）に配属された、リニアガイド（２６）の部分が、リニアガイド（２６）のフレーム固定された対応する部分を包囲する、請求項２７記載の印刷装置。
【請求項３３】
リニアガイド（２６）のフレーム固定された部分が、軸受ケーシング（２４）に配属された、リニアガイド（２６）の対応する部分を包囲する、請求項２７記載の印刷装置。
【請求項３４】
リニアガイド（２６）のケーシング固定された部分がサイドフレーム（２０）に結合されている、請求項３２又は３３記載の印刷装置。
【請求項３５】
リニアガイド（２６）のフレーム固定された部分が、サイドフレーム（２７）の並びから突き出している領域に配置されている、請求項３２又は３３記載の印刷装置。
【請求項３６】
リニアガイド（２６）のフレーム固定されたサイドフレームのインサート（２８）に配置されている、請求項３２又は３３記載の印刷装置。
【請求項３７】
リニアガイド（２６）の、インサート（２８）に配属された部分が、サイドフレーム（２０）の並びから突き出しているインサート（２８）の領域の内側又は外側に配置されている、請求項３６記載の印刷装置。
【請求項３８】
サイドフレーム（２０）に接続された、リニアガイド（２６）の部分の作用面が、ピン（２３）とは反対側のハーフスペース内に向いている、請求項２８記載の印刷装置。
【請求項３９】
サイドフレーム（２０）に接続された、リニアガイド（２６）の部分の作用面が、ピン（２３）に向いた側のハーフスペース内に向いている、請求項２８記載の印刷装置。
【請求項４０】
３つの胴（０２；０３；０７；１１）は、その回転軸線（Ｒ０２；Ｒ０３；Ｒ０７；Ｒ１１）が、胴入れ位置（ＡＮ）で共通の平面（Ｅ）に位置している、請求項２７記載の印刷装置。
【請求項４１】
リニアガイド（２６）がインサートに配置されており、該インサートが、サイドフレーム（２７）の開口内に配置されていて、サイドフレーム（２７）の並びから胴（０２；０３；０１；１１）の側に向かって突き出している、請求項２７記載の印刷装置。
【請求項４２】
請求項１、４，１６又は２７に記載した、少なくとも１つの印刷装置を備えた印刷機で印刷製品を製造するための方法において、互いに並んで縦置きされ、しかしながら長手方向で互いに１印刷頁の一部だけずらされた印刷頁を有するウエブ（０８）を印刷し、印刷後に長手方向で、互いにずらされた印刷頁間で部分ウエブに切断し、次いで部分ウエブが１つの系若しくはストランドにまとめられる前に、長手方向レジスタにもたらすことを特徴とする、印刷機で印刷製品を製造するための方法。